【手続補正書】
【提出日】平成17年1月12日(2005.1.12)
【手続補正１】
【補正対象書類名】明細書
【補正対象項目名】特許請求の範囲
【補正方法】変更
【補正の内容】
【特許請求の範囲】
【請求項１】
物体側から順に、正の対物光学系と正の接眼光学系が配置され、また、対物光学系により形成された実像を正立正像させる像反転手段を有する実像式変倍ファインダーにおいて、
前記対物光学系は、物体側より順に、各レンズ群に少なくとも１面の非球面を有する少なくとも２つの群と、光路順に第１透過面、第１反射面、第２反射面、第３反射面、第２透過面を有するプリズムを有し、第１反射面と第３反射面が他の透過面、反射面とは独立に構成され、第２反射面は第１透過面、第２透過面と同一面で構成され、また、第１反射面に入射する軸上主光線及び反射後の軸上主光線を含む平面上に射影することにより定義する射影軸上主光線が、光線の進行方向を基準にしたとき、何れも異なる方向に曲がる光路を取る反射面が配置され、さらに、変倍に際し少なくとも２つの群が移動し、反射面の中少なくとも１面は回転非対称な面であることを特徴とする実像式変倍ファインダー。
【請求項２】
物体側から順に、正の対物光学系と正の接眼光学系が配置され、また、対物光学系により形成された実像を正立正像させる像反転手段を有する実像式変倍ファインダーにおいて、
前記対物光学系は、物体側より順に、各レンズ群に少なくとも１面の非球面を有する少なくとも２つの群と、光路順に第１透過面、第１反射面、第２反射面、第３反射面、第２透過面を有するプリズムを有し、第１反射面と第３反射面が他の透過面、反射面とは独立に構成され、第２反射面は第２透過面と同一面で構成され、また、第１反射面に入射する軸上主光線及び反射後の軸上主光線を含む平面上に射影することにより定義する射影軸上主光線が、光線の進行方向を基準にしたとき、連続した２つの反射面で同じ方向に曲がり、もう１面では異なる方向に曲がる光路を取る反射面が配置され、さらに、変倍に際し少なくとも２つの群が移動し、反射面の中少なくとも１面は回転非対称な面であることを特徴とする実像式変倍ファインダー。
【請求項３】
物体側から順に、正の対物光学系と正の接眼光学系が配置され、また、対物光学系により形成された実像を正立正像させる像反転手段を有する実像式変倍ファインダーにおいて、
前記対物光学系は、物体側より順に、変倍に際し移動する２つ以上の群を含む少なくとも３つの群と、光路順に第１透過面、第１反射面、第２反射面、第３反射面、第２透過面を有するプリズムを有し、第１反射面と第３反射面が他の透過面、反射面とは独立で構成され、第２反射面は第１透過面、第２透過面と同一面で構成され、また、第１反射面に入射する軸上主光線及び反射後の軸上主光線を含む平面上に射影することにより定義する射影軸上主光線が、光線の進行方向を基準にしたとき、何れも異なる方向に曲がる光路を取る反射面が配置され、さらに、反射面の中少なくとも１面は回転非対称な面であることを特徴とする実像式変倍ファインダー。
【請求項４】
物体側から順に、正の対物光学系と正の接眼光学系が配置され、また、対物光学系により形成された実像を正立正像させる像反転手段を有する実像式変倍ファインダーにおいて、
前記対物光学系は、物体側より順に、変倍に際し移動する２つ以上の群を含む少なくとも３つの群と、光路順に第１透過面、第１反射面、第２反射面、第３反射面、第２透過面を有するプリズムを有し、第１反射面と第３反射面が他の透過面、反射面とは独立で構成され、第２反射面は第２透過面と同一面で構成され、また、第１反射面に入射する軸上主光線及び反射後の軸上主光線を含む平面上に射影することにより定義する射影軸上主光線が、光線の進行方向を基準にしたとき、連続した２つの反射面で同じ方向に曲がり、もう１面では異なる方向に曲がる光路を取る反射面が配置され、さらに、反射面の中少なくとも１面は回転非対称な面であることを特徴とする実像式変倍ファインダー。
【請求項５】
前記対物光学系の反射面の瞳側には、光線の通過する順に、第１透過面、第１反射面、第２反射面、第２透過面を有し、また、その第１反射面に入射する軸上主光線及び反射後の軸上主光線を含む平面上に射影することにより定義する射影軸上主光線が、光線の進行方向を基準にしたとき、何れも同じ方向に曲がる光路を取る反射面が配置されていることを特徴とする請求項１又は３記載の実像式変倍ファインダー。
【請求項６】
前記対物光学系の第１反射面の反射角は次の条件式を満たすことを特徴とする請求項１又は３記載の実像式変倍ファインダー。
１０°＜θ1 ＜４５°                                  ・・・（１）
ただし、θ1 は第１反射面における軸上主光線の反射角である。
【請求項７】
前記対物光学系の第２反射面の反射角は次の条件式を満たすことを特徴とする請求項１又は３記載の実像式変倍ファインダー。
３０°＜θ2 ＜８０°                                  ・・・（２）
ただし、θ2 は第２反射面における軸上主光線の反射角である。
【請求項８】
前記対物光学系の第３反射面の反射角は次の条件式を満たすことを特徴とする請求項１又は３記載の実像式変倍ファインダー。
１０°＜θ3 ＜６０°                                  ・・・（３）
ただし、θ3 は第３反射面における軸上主光線の反射角である。
【請求項９】
対物光学系に入射する軸上主光線と中間結像面に入射する軸上主光線のなす角度は、次の条件式を満たしていることを特徴とする請求項１又は３記載の実像式変倍ファインダー。
９０°＜α≦１８０°                                  ・・・（４）
ただし、αは対物光学系に入射する軸上主光線と中間結像面に入射する軸上主光線のなす角度である。
【請求項１０】
群の非球面の近軸曲率半径は次の条件式を満たすことを特徴とする請求項１又は２記載の実像式変倍ファインダー。
０．５＜｜ｒ／Ｉｈ｜＜１０                            ・・・（５）
ただし、ｒは群の非球面の近軸曲率半径、Ｉｈは最大の中間結像高である。
【請求項１１】
群の非球面は回転対称非球面であり、その中少なくとも１面は次の条件式を満たしていることを特徴とする請求項１又は２記載の実像式変倍ファインダー。
０．００１＜｜（ｎ’−ｎ）・（１／ｒ−１／ｒASP ）・Ｉｈ｜                                          ＜０．０５      ・・・（６）
ただし、ｎ’は屈折側媒質の屈折率、ｎは入射側媒質の屈折率、ｒは光軸上での近軸曲率半径、ｒASP は周辺部の曲率半径の中有効径内で最も変化したときの曲率半径、Ｉｈは最大の中間結像高とする。
【請求項１２】
次の条件式を満たすことを特徴とする請求項１又は２記載の実像式変倍ファインダー。
０．００１＜｜ｒ3refl ／ｒ1asp｜＜５．０              ・・・（７）
ただし、ｒ1aspは第１群の非球面の光軸上での近軸曲率半径、ｒ3refl は第３反射面の軸上主光線が通過する地点での曲率半径である。
【請求項１３】
前記対物光学系の反射面の瞳側には、光線の通過する順に、第１透過面、第１反射面、第２反射面、第２透過面を有し、また、その第１反射面に入射する軸上主光線及び反射後の軸上主光線を含む平面上に射影することにより定義する射影軸上主光線が、光線の進行方向を基準にしたとき、何れも異なる方向に曲がる光路を取る反射面が配置されていることを特徴とする請求項２又は４記載の実像式変倍ファインダー。
【請求項１４】
前記対物光学系の第１反射面の反射角は次の条件式を満たすことを特徴とする請求項２又は４記載の実像式変倍ファインダー。
２５°＜θ1 ＜６５°                                  ・・・（８）
ただし、θ1 は第１反射面における軸上主光線の反射角である。
【請求項１５】
前記対物光学系の第２反射面の反射角は次の条件式を満たすことを特徴とする請求項２又は４記載の実像式変倍ファインダー。
３５°＜θ2 ＜７５°                                  ・・・（９）
ただし、θ2 は第２反射面における軸上主光線の反射角である。
【請求項１６】
前記対物光学系の第３反射面の反射角は次の条件式を満たすことを特徴とする請求項２又は４記載の実像式変倍ファインダー。
１０°＜θ3 ＜５０°                                  ・・・（10）
ただし、θ3 は第３反射面における軸上主光線の反射角である。
【請求項１７】
対物光学系に入射する軸上主光線と中間結像面に入射する軸上主光線のなす角度は、次の条件式を満たしていることを特徴とする請求項２又は４記載の実像式変倍ファインダー。
２０°＜α＜９０°                                    ・・・（11）
ただし、αは対物光学系に入射する軸上主光線と中間結像面に入射する軸上主光線のなす角度である。
【請求項１８】
前記３つの群の中で同じ符号のパワーを持つ２つの群の中パワーの強い方の群は次の条件式を満たしていることを特徴とする請求項３又は４記載の実像式変倍ファインダー。
０．５＜｜ｆs ／Ｉｈ｜＜１０                          ・・・（12）
ただし、ｆs は同じ符号のパワーを持つ２つの群の中でパワーの強い方の群の焦点距離、Ｉｈは最大の中間結像高である。
【請求項１９】
前記３つの群の軸上主光線に沿って測った構成厚の総和が次の条件を満たすことを特徴とする請求項３又は４記載の実像式変倍ファインダー。
０．２＜Ｄ／Ｄz ＜０．７                              ・・・（13）
ただし、Ｄは群の軸上主光線に沿って測った構成厚の総和、Ｄz は軸上主光線に沿って測った群間隔の総和である。
【請求項２０】
第３群は反射面を有していない屈折光学系で、さらに次の条件式を満たすことを特徴とする請求項３又は４記載の実像式変倍ファインダー。
０．００１＜｜ｆ3 ／ｒ1refl ｜＜１．５                ・・・（14）
ただし、ｆ3 は第３群の焦点距離、ｒ1refl は第１反射面の軸上主光線が通過する地点での曲率半径である。
【請求項２１】
次の条件式を満たすことを特徴とする請求項３又は４記載の実像式変倍ファインダー。
０．００１＜｜ｆfwd ／ｒ3refl ｜＜１．５              ・・・（15）
ただし、ｆfwd は同じ符号のパワーを持つ２つの群の中で物体側にある方の群の焦点距離、ｒ3refl は第３反射面の軸上主光線が通過する地点での曲率半径である。
【請求項２２】
変倍の際の移動群は２つのみであることを特徴とする請求項１〜２１の何れか１項記載の実像式変倍ファインダー。
【請求項２３】
結像作用は１回のみであることを特徴とする請求項１〜２１の何れか１項記載の実像式変倍ファインダー。
【請求項２４】
変倍の際、対物光学系中で最も物体側の第１群は固定群であることを特徴とする請求項１〜２１の何れか１項記載の実像式変倍ファインダー。
【請求項２５】
中間結像面よりも物体側に少なくとも正と負の反射面を１面ずつ有していることを特徴とする請求項１〜２１の何れか１項記載の実像式変倍ファインダー。
【請求項２６】
中間結像面よりも物体側の少なくとも２面が回転非対称面で構成されていることを特徴とする請求項１〜２１の何れか１項記載の実像式変倍ファインダー。
【請求項２７】
反射面の中にダハ面を有していることを特徴とする請求項１〜２１の何れか１項記載の実像式変倍ファインダー。
【請求項２８】
対物光学系の移動群は反射面を有していない屈折光学系であることを特徴とする請求項１〜２１の何れか１項記載の実像式変倍ファインダー。
【請求項２９】
中間結像面より物体側に配置される像反転光学系は変倍中は固定であることを特徴とする請求項１〜２１の何れか１項記載の実像式変倍ファインダー。
【請求項３０】
対物光学系に入射する軸上主光線と接眼光学系から射出する軸上主光線は、平行又は略平行に構成されていることを特徴とする請求項１〜２１の何れか１項記載の実像式変倍ファインダー。
【請求項３１】
対物光学系に入射する軸上主光線と接眼光学系から射出する軸上主光線とのなす角度は次の条件式を満たすことを特徴とする請求項３０記載の実像式変倍ファインダー。
０°≦φ＜２０°                                      ・・・（16）
ただし、φは入射する軸上主光線と射出する軸上主光線のなす角度である。
【請求項３２】
次の条件式を満たすことを特徴とする請求項１〜２１の何れか１項記載の実像式変倍ファインダー。
２．５≦ｆt ／ｆw ≦１０．０                          ・・・（17）
ただし、ｆw は対物光学系の広角端の焦点距離、ｆt は対物光学系の望遠端の焦点距離である。
【請求項３３】
中間結像面より物体側には回転対称非球面を有し、その中少なくとも１面は次の条件式を満たしていることを特徴とする請求項１〜２１の何れか１項記載の実像式変倍ファインダー。
０．００１＜｜（ｎ’−ｎ）・（１／ｒ−１／ｒASP ）・Ｉｈ｜                                          ＜０．０５      ・・・（18）
ただし、ｎ’は屈折側媒質の屈折率、ｎは入射側媒質の屈折率（反射面の場合はｎ’＝ｎになる。）、ｒは光軸上での近軸曲率半径、ｒASP は周辺部の曲率半径の中有効径内で最も変化したときの曲率半径、Ｉｈは最大の中間結像高とする。
【請求項３４】
請求項１〜３４の何れか１項に記載の実像式変倍ファインダーとそれとは別体に構成された撮影レンズとを備えたことを特徴とするカメラ。